(57)【特許請求の範囲】
【請求項１】
浴槽壁面部の貫通穴に取り付けられ、浴槽と循環ポンプとの間で浴槽水を強制循環させるための浴槽水循環接続具であって、浴槽水の吸込み側となる第１水通路と、浴槽水の吐出側となる第２水通路とを有する浴槽水通路分離形成具を備え、前記第１水通路は、前記浴槽水通路分離形成具の外周に開口する吸込開口部を有し、前記第２水通路は、前記浴槽水通路分離形成具の外周に開口する吐出開口部を有し、前記第１水通路の吸込開口部および前記第２水通路の吐出開口部に隣接した浴槽水通路分離形成具の一部に前記吸込開口部および吐出開口部より小さな複数の負圧軽減開口部を設け、前記複数の負圧軽減開口部のうち、最大開口面積の負圧軽減開口部を、前記吸込開口部、前記吐出開口部より最も離れた位置に配設したことを特徴とする浴槽水循環接続装置。
【請求項２】
複数の負圧軽減開口部の形状は、同一または異形としてなる請求項１に記載の浴槽水循環接続装置。
【請求項３】
吸込開口部、吐出開口部の開口面積Ｓに対し、負圧軽減開口部の面積Ｓ１はその６０〜１５０％としてなる請求項１又は２に記載の浴槽水循環接続装置。
【請求項４】
負圧軽減開口部の表面形状は、浴槽フィルターが装着された際、ショートサーキットを防止するために、平面形状とした請求項１〜３のいずれか１項に記載の浴槽循環水接続装置。
【発明の詳細な説明】
【０００１】
【発明の属する技術分野】
本発明は、浴槽とポンプを内蔵した強制循環給湯器等のポンプ内蔵機器との間で浴槽水の湯水を強制循環させるために、浴槽の壁面部の貫通穴に取り付ける浴槽水循環接続装置に関するものである。
【０００２】
【従来の技術】
従来、この種の浴槽水循環接続装置としては、各家庭等に設置されている浴槽の壁面部の貫通穴に取り付けられ、例えば屋外に設置した強制循環式給湯器等のポンプ内蔵機器との間を連結し浴槽水の湯水を強制循環させるものである。
【０００３】
図８は、浴槽１の側壁面の貫通穴に浴槽水循環接続装置Ａが取り付けられ、湯水戻り用接続管５、湯水往き用接続管６および延長接続管９、１０がそれぞれ接続され、ポンプ内蔵機器１１に接続された循環ポンプ１２が作動すると浴槽水２が各延長接続管９、１０を通って循環する代表的な施工例を示す。
【０００４】
また、図９は、浴槽水循環接続装置Ａの一般的な部品構成例を示し、浴槽１の側壁面の貫通穴１８に浴槽の外壁１から気密用のパッキン１９を介し接続ボディ２０を配設すると共に、この接続ボディ２０に、浴槽内から気密用のシート１６、平パッキン１７を介して固定ねじ１４を螺合させる。そして固定ネジ１４の前面に設けたボスに樹脂成形された浴槽水通路分離形成具１３を３本のビス１５で取り付け、最後に浴槽フィルター３を装着する。
【０００５】
また、図１０（ａ）、（ｂ）及び図１１は、本発明に関連する浴槽水通路分離形成具の一般的な前面概略構成図と外周開口部７、８を前方から見た概略構成図および浴槽水通路分離形成具１３に取り付けられる浴槽フィルター３の内面概略構成図であり、浴槽水循環接続装置は、浴槽２とポンプ内蔵機器１１間で往き・戻り水を循環させるための第１水通路２１と第２水通路２２を持つ浴槽水通路分離形成具１３を備え、さらに前記各水通路からなる浴槽水通路分離形成具１３とその外周に楕円状開口部２３、２４を設けている。
【０００６】
この浴槽水通路分離形成具１３の浴槽１内側には、浴槽フィルター３が装着され、この浴槽フィルター３の前面部と外周部にそれぞれ湯水流通用のフィルター２５、２６で構成している。
【０００７】
そしてポンプ内蔵機器１１の循環ポンプ１２を作動すると、浴槽１の浴槽水２は、浴槽フィルター３、浴槽水通路分離形成具１３の外周開口部２３から第１水通路２１、戻り接続管５、戻り延長接続管９、ポンプ内蔵機器１１の循環ポンプ１２、往き延長接続管１０、往き接続管６、浴槽水通路分離形成具１３の第２水通路２２、外周開口部２４、浴槽フィルター３を介して、浴槽１とポンプ内蔵機器１１との間で強制循環される。
【０００８】
このとき、前記の浴槽水通路分離形成具１３の外周部に設けられた吸込開口部２３から浴槽水が吸込まれ、他方の吐出開口部２４から、例えばポンプ内蔵給湯機器により加熱された浴槽水２が吐出し、浴槽水２を攪拌循環して、浴槽水２を均一に沸き上げる。攪拌循環をより効率的に行うために、第１水通路２１、第２水通路２２は略八の字形状で浴槽１の底面側に吐出され、底面部分の浴槽水２を攪拌するようにしている。
【０００９】
【発明が解決しようとする課題】
しかしながら、前記従来の浴槽水通路分離形成具の構成では、外周に設けた吸込および吐出開口部の開口面積を大きくすることは、浴槽水通路分離形成具の形状を大きくする必要から、一般的に浴槽水通路分離形成具に装着する浴槽フィルターの外径は、φ９０ｍｍからφ１００ｍｍであることから、必然的に吸込および吐出開口部の開口面積は、６０ｍｍ２から８０ｍｍ２と比較的小さく、そのため循環ポンプの循環流量による吸込開口部の負圧吸引力が大きくなる。
【００１０】
通常の使用では、浴槽水通路分離形成具の外周部に浴槽フィルターを装着しているため、浴槽水中の異物（垢、糸くず、髪の毛等）を浴槽フィルターのフィルター部で吸込開口部に異物が詰まること、さらに循環ポンプへの異物流入による信頼性を確保することができる。
【００１１】
しかし、浴槽フィルターのフィルター部の掃除や洗浄等で、取り外したままで使用した場合には、吸込開口部が露出した状態となり、例えば子供が浴槽で潜って遊んだりすると
、前記吸込開口部に髪の毛や衣服の一部が吸引し、閉塞状態となり、循環ポンプの循環作用に支障をきたし、故障の原因になる一方、最悪状態として髪の毛が吸い込まれ、循環ポンプの吸い込み負圧で髪の毛が外れない状態となり、子供が溺れるという要因にもなり兼ねないという課題を有していた。
【００１２】
本発明は、前記従来の課題を解決するもので、異常使用状態である浴槽フィルターを取り外して使用した場合においても、浴槽水の循環作用を確保し、ポンプ故障をなくすること、さらに入浴中の人の髪の毛等の異物が吸引されても、すぐに弱い力で取り外しできる浴槽水通路分離具を構成することにより安全な浴槽水循環接続装置を提供することを目的とする。
【００１３】
【課題を解決するための手段】
前記従来の課題を解決するために、本発明は、浴槽壁面部の貫通穴に取り付けられ、浴槽と循環ポンプとの間で浴槽水を強制循環させるための浴槽水循環接続具であって、浴槽水の吸込み側となる第１水通路と、浴槽水の吐出側となる第２水通路とを有する浴槽水通路分離形成具を備え、第１水通路は、浴槽水通路分離形成具の外周に開口する吸込開口部を有し、第２水通路は、浴槽水通路分離形成具の外周に開口する吐出開口部を有し、第１水通路の吸込開口部および第２水通路の吐出開口部に隣接した浴槽水通路分離形成具の一部に吸込開口部および吐出開口部より小さな複数の負圧軽減開口部を設け、前記複数の負圧軽減開口部のうち、最大開口面積の負圧軽減開口部を、前記吸込開口部、前記吐出開口部より最も離れた位置に配設したことを特徴とするものである。
【００１４】
これによって浴槽水通路分離形成具の外周開口部に加え、この外周開口部に隣接した浴槽水通路分離形成具の一部に、吸込開口部および吐出開口部より小さな複数の負圧軽減開口部を備えることにより、外周開口部に異物が吸引されて外周開口部が閉塞された場合においても、外周開口部に隣接した複数の負圧軽減開口部から浴槽水を吸込むことができる。
【００１５】
したがって、かかる場合において、浴槽水の吸い込み循環作用の確保と、例えば仮に異物として子供の髪の毛が吸引されたとしてもポンプ循環作用が確保されることにより、外周開口部の吸引力が著しく軽減され、容易に髪の毛が弱い力で取り外すことが可能となり、浴槽内での髪の毛吸い込みによる水事故等は解消され、従来より安全性が確保できるものである。
【００１６】
【発明の実施の形態】
請求項１に記載の本発明は、浴槽壁面部の貫通穴に取り付けられ、浴槽と循環ポンプを内蔵した給湯機器との間で浴槽水を強制循環させるための浴槽水循環接続具であって、浴槽水の吸込み側となる第１水通路と、浴槽水の吐出側となる第２水通路とを有する浴槽水通路分離形成具を備え、第１水通路は、浴槽水通路分離形成具の外周に開口する吸込開口部を有し、第２水通路は、浴槽水通路分離形成具の外周に開口する吐出開口部を有し、第１水通路の吸込開口部および第２水通路の吐出開口部に隣接した浴槽水通路分離形成具の一部に吸込または吐出開口部より小なる複数の負圧軽減開口部を設け、前記複数の負圧軽減開口部のうち、最大開口面積の負圧軽減開口部を、前記吸込開口部、前記吐出開口部より最も離れた位置に配設したことを特徴とする。
【００１７】
この形態によれば外周開口部に隣接して設けた複数の開口部によりポンプの循環作用が確保され、ポンプの耐久性が向上すると共に、外周開口部の吸引力が軽減し、すなわち負圧が軽減し、髪の毛に及ぼす吸引力が弱くなるので、仮に髪の毛が吸い込まれたとしても取り外し力が軽減され、より安全性を向上することができる。
【００１８】
また、吸込負圧力が軽減し、また外周部の吸込開口部へ髪の毛等が浮遊するほど吸い込みが著しく軽減できる。
【００１９】
また、請求項２の記載の発明は、特に、請求項１に記載の外周開口部に隣接した複数の開口部を形成し、同一または異形の形状とすることにより、隣接した負圧軽減開口部の負圧力をより軽減できるとともに、金型費の削減と生産性を向上することができる。
【００２０】
また、請求項３の記載の発明は、特に、請求項２に記載の吸込開口部、吐出開口部の開口面積Ｓに対し、同一または異形の負圧軽減開口部の面積Ｓ１が６０〜１５０％の範囲にすることにより、より効果的に吸込負圧力を軽減することができる。
【００２１】
また、さらに請求項４の記載の発明は、特に、請求項１に記載の隣接した前面負圧軽減開口部の形状を浴槽フィルター装着時、ショートサーキット防止の為平面形状にすることにより、浴槽フィルター装着時、前面の吸込開口部および吐出開口部からのショートサーキットを防止すると共に、閉塞効果を著しく改善することができる。
【００２２】
【実施例】
以下本発明の実施例について、図面を参照しながら説明する。
【００２３】
（実施例１）
図１は、本発明の実施例１における浴槽水循環接続装置の分解斜視図、また図２（ａ）（ｂ）は浴槽水循環接続装置を構成する浴槽水通路分離形成具の正面概略構成図と浴槽水通路分離形成具の外周開口部に隣接した複数の負圧軽減開口部の正面概略構成図を各々示すものである。
【００２４】
本実施例の発明は、従来構成図と同一構成および作用効果を呈する部分には同じ符号を付して詳細な説明を省略し、異なる処を中心に説明する。
【００２５】
図１、２において、３２は本発明の浴槽水通路分離形成具（樹脂成型品）で、外周部の吸込開口部３３および吐出開口部３５に隣接した前面部の第１水通路３４と第２水通路３６に各々同一形状と同一個数からなる複数の負圧軽減開口部３５、３７を設けたものであり、前記浴槽水通路分離形成具３２は通常浴槽フィルター３１を装着して使用する構成である。
【００２６】
以上のように構成された浴槽水通路分離形成具３２の前面部の複数の負圧軽減開口部３５、３７を設けた構成の他構成として、図３では、図２の浴槽水通路分離形成具３２（丸負圧軽減開口部３５、３７）に加え、（ａ）の浴槽水通路分離形成具４１（角負圧軽減開口部４６、４７）、（ｂ）の浴槽水通路分離形成具４８（２列丸負圧軽減開口部５３、５４）の同一形状の代表例を示す。
【００２７】
また図４では、（ａ）の浴槽水通路分離形成具５５は大負圧軽減開口部６０、６１と小負圧軽減開口部６２、６３の２種類組み合わせ、（ｂ）の浴槽水通路分離形成具６４は角負圧軽減開口部６９、７０と丸負圧軽減開口部７１、７２の２種類組み合わせ、（ｃ）の浴槽水通路分離形成具７３は、スリット型負圧軽減開口部７８、７９と丸負圧軽減開口部８０、８１の２種類組み合わせの異形形状の代表例を示す。
【００２８】
図示はしていないが、異形形状は２種類に加え、３種類、４種類としても本発明の範囲である。
【００２９】
まず、（１）浴槽フィルターを装着した場合は、一般的な通常使用のため、従来品の浴
槽水通路分離形成具と本発明品の浴槽水通路分離形成具構成での作用効果には、差がない。（２）浴槽フィルターを取り外しした最悪条件下では、浴槽水通路分離形成具の外周の吸込および吐出開口部に隣接した前面部の第１、第２水通路の一部に負圧軽減開口部の有／無の差は歴然としている。本発明の複数の負圧軽減開口部を設けることにより、例えば子供が潜水し、異物として髪の毛が外周の吸込開口部に吸いこまれた場合、吸込開口部が１つである従来品では、髪の毛が吸いこまれた段階で循環ポンプの全楊程分の負圧がかかり、髪の毛が開口部より深く、且つ多量に吸いこまれ、子供の引張力では、到底無理な大負圧状態となり、開口部から髪の毛を外すことができないことが生じる。
【００３０】
一方、外周の開口部に加え、前面部に複数の負圧軽減開口部を設けることにより、もし髪の毛が吸い込まれても循環ポンプの楊程の一部の負圧がかかるが、前面部の開口部から残りの楊程分が流入し、負圧が軽減される。このことにより髪の毛が開口部近傍、且つ少量の吸い込みに留まり、子供の引張力でも、すぐに髪の毛を外すことが可能となる作用効果を生じる。
【００３１】
また、前面開口部の複数の負圧軽減開口形状が、同一形状構成または異形形状構成でも、上記同様の髪の毛が開口部近傍、且つ少量の吸い込みに留まり、子供の引張力でも、すぐに髪の毛を外すことが可能となる作用効果を生じる。
【００３２】
（実施例２）
図５は、本発明の評価（効果）判定として、髪の毛の強制吸い込みによる引張力の測定概略図を示し、詳細はＪＩＳ  Ｃ  ９３３５−２−６０の渦流浴槽の個別要求事項（２０００／９／２０制定）に基づき、浴槽フィルターを取り外した最悪条件で実施した。
【００３３】
（概略試験方法）
（１）強制的に髪の毛８６〔直径２５ｍｍ＊自由部４００ｍｍ〕を吸込開口部８２に完全に吸いこまれるように試みる。
（２）浴槽水通路分離形成具８１に対し、真上垂直（以下９０゜方向とする）に棒８７を引っ張り、髪の毛８６が外れる引張力をバネゲイジ８８（０〜５Ｋｇｆ）で測定する。
（３）浴槽水通路分離形成具８１に対し、前方上部４０゜（以下４０゜方向とする）
（判定基準）
（４）９０゜方向、４０゜方向共に５回実施し２０Ｎ（約２Ｋｇｆ）以下でなければならない。
【００３４】
（参考）
（５）２０Ｎとは、２Ｋｇｆ＊９．８＝１９．６Ｎ≒２０Ｎである。
【００３５】
（表１）は、浴槽水通路分離形成具８１の前面部に設けた同一形状の負圧軽減開口部８４、８５の丸開口形状＊個数による負圧軽減開口部開口面積Ｓ１と外周に設けた吸込開口部８２の面積Ｓとし、Ｓ１／Ｓ比率％によるＪＩＳ評価結果を示す。
【００３６】
この時の外周の開口部８２の形状構成は長方形で７ｍｍ＊１０ｍｍ＝７０ｍｍ２、循環ポンプの循環流量は１０Ｌ／ｍｉｎ（一般的な電気、ガス、石油を熱源とする浴槽水加熱装置に用いる循環ポンプを約１ｍの短い風呂接続管の場合）を想定したものである。
【００３７】
【表１】
0004774659.tif 000002
【００３８】
（表１）からも明らかなように、Ｓ１／Ｓ比率が５０％以上であれば、２０Ｎ以下の引張力で容易に髪の毛を外すことができる。
【００３９】
好ましくはＳ１／Ｓ比率が６０％以上である。他方、Ｓ１／Ｓが１５０％以上になると、前面開口部からの髪の毛吸い込み量が、外周の開口部より多くなるとともに、複数の負圧軽減開口部から吸いこまれた髪の毛が乱流流入し、開口部で、髪の毛がもつれる傾向が顕著になり、引張力が悪化する要因となることから、好ましいＳ１／Ｓ比率が１３０％以下である。
【００４０】
また、複数の開口部を丸負圧軽減開口部とした場合、上記のＳ１／Ｓ比率５０％に加え、複数同一形状ではφ２ｍｍからφ３．３ｍｍが望ましく、さらに好ましくはφ２．５ｍｍからφ３ｍｍの範囲である。φ２未満では、Ｓ１／Ｓ比率を５０％以上を確保するためには、樹脂成型開口用ピンが細くなり、ピン寿命が短くなること（ピン折れ等も含む）とピン加工費も合わせた総金型費が高くなることから好ましくない。一方、φ３．３ｍｍ以上にすると、Ｓ１／Ｓ比率５０％以上にすることは容易で、ピン寿命の向上や総金型費は割安になる利点もあるが、丸開口部が大となり、外周の開口部に加え、外周の開口部に隣接した複数の負圧軽減開口部にも髪の毛の吸い込み量が増加し、乱流流入による髪の毛の縺れが生じやすくなり、引張力にバラツキが大きくなり、突如２０Ｎ以上をこえることがあるなど悪影響を生じやくなる。
【００４１】
【表２】
0004774659.tif 000003
【００４２】
（表２）は、前面の負圧軽減開口部８４、８５の構成として、異形開口形状とした場合の引張力と引張力平均値（１０回の平均）を示したもので、表１と同様にＳ１／Ｓ比率が５０％以上にすると、容易に髪の毛を外すことが可能である。
【００４３】
（実施例３）
図６は、浴槽水通路分離形成具９１に前記異形開口形状の大負圧軽減開口部９８、９９を、外周吸込開口部９２、外周吐出開口部９５より最も離れた位置に設けたもので、前面部の負圧軽減開口部９６、９７構成として、φ２．７ｍｍ＊１２個に加え、最も離れた負圧軽減開口部９８、９９をφ２．７、φ３、φ４、φ５、φ６およびφ７＊各１個での引張力平均値を（表３）に示す。
【００４４】
【表３】
0004774659.tif 000004
【００４５】
（表３）からも明らかなように、異形開口形状の大負圧軽減開口部９８、９９にした構成にすることにより、ＪＩＳ評価結果はすべてクリアー、且つ引張力平均値がＪＩＳ評価２０Ｎ以下に対し、約１／２の１０Ｎ以下と２０Ｎに対し安全率２倍とさらに著しい効果を呈することができる。
【００４６】
（実施例４）
実施例１〜４の図で詳述したように、隣接した前面負圧軽減開口部の前面形状の第１水通路を構成する外装３４、３６、４２、４３、４９、５０、５６、５７、６５、６６、７４、７５および９４、９５を浴槽フィルター装着時、ショートサーキット防止の為平面形状構成とすることにより、平面総面積を大にすることによって、前面の複数の負圧軽減開口部構成を１列開口部から２列開口部等による開口部面積Ｓ１をより大に、また図７に示した浴槽フィルター１０１を装着した場合（通常使用状態）、第１水通路９４、第２水通路９５の前面の負圧軽減開口部９６、９７の外装部のシール性すなわちショートサーキット防止をより効果的に行うため、浴槽フィルター１０１に前記第１水通路９４、第２水通
路９５に対抗したショートサーキット防止リブ１０３、１０２を構成することにより、第１水通路９４、第２水通路９５の前面部に設けた複数の負圧軽減開口部からの吸い込みおよび吐出によるショートサーキットを防止し、本来の目的である浴槽水循環作用を効果的に実施することができる。
【００４７】
以上のように、本実施例においては、浴槽フィルターを取り外されて使用（最悪状態）され、且つ子供が潜水入浴し、浴槽水通路分離形成具の外周開口部に髪の毛が吸い込まれた状態になっても、前記浴槽水通路分離形成具の外周開口部に隣接した前面部に複数の負圧軽減開口部をもうけることにより、前記前面部に複数の負圧軽減開口部が循環ポンプの吸い込み負圧を著しく軽減する作用効果を停止、結果吸いこまれた髪の毛を弱い引張力で容易に且つ簡単に外すことができ、従来品と比較し、最悪使用状態においても、安心・安全な浴槽水循環接続装置を提供できる。
【００４８】
本実施例では、詳述していないが、本発明の浴槽水循環接続装置は、吸込および吐出がどちらにでもなる無極性構成となっている。
【００４９】
【発明の効果】
以上のように、請求項１記載の発明は、浴槽水通路分離形成具の外周開口部に隣接した前面部に複数の負圧軽減開口部を設け、前記複数の負圧軽減開口部のうち、最大開口面積の負圧軽減開口部を、前記吸込開口部、前記吐出開口部より最も離れた位置に配設したことにより、外周開口部に異物吸い込まれても、前面部の複数の負圧軽減開口部が吸い込み負圧を軽減する作用効果を呈し、循環ポンプの耐久性・信頼性を著しく向上することができ、また最悪状態として、異物等が容易に外れ、安心・安全な浴槽水循環装置を提供することができる。
【００５０】
さらに吸い込み負圧を軽減する作用効果を有効にすることができると共に、吸い込みと吐出が近接構成されているため、髪の毛等の異物が浴槽水通路分離形成具に接近しないようにすることができ、より安心・安全な浴槽水循環接続装置を提供できる。
【００５１】
また、請求項２に記載の発明は、前記請求項１に加え、前面部の複数の負圧軽減開口部の形状として、同一形状または異形形状構成どちらでも、吸い込み負圧を軽減する作用効果を呈し、構成上金型費をより安価なものにすることができる。
【００５２】
また、請求項３に記載の発明は、前記請求項２に加え、外周開口部の面積Ｓに対し、前面部の複数の負圧軽減開口部面積Ｓ１として、Ｓ１／Ｓ比率を５０％から１５０％の範囲で構成することに、より吸い込み負圧を軽減することができる。
【００５３】
さらに、請求項４に記載の発明は、前記請求項１に加え、第１および第２水通路の前面外装部を平面に構成することにより、複数の開口部を１列構成および２列構成とより広範に設定できることから、金型費がさらにより安価に作成できること。また浴槽フィルターに設けたショートサーキット防止用リブにより、より確実にシール性を向上することができる。
【図面の簡単な説明】
【図１】  本発明の実施例１における浴槽水循環接続装置の分解斜視図
【図２】  （ａ）同装置を構成する浴槽水通路分離形成具の正面図
（ｂ）同形成具に設けられた吐出開口部の形状を示す部分側面図
【図３】  （ａ）同形成具の前面負圧軽減開口部を同一形状の矩形開口部とした正面図
（ｂ）同負圧軽減部を同一形状の２列円形開口部とした正面図
【図４】  （ａ）同負圧軽減開口部に大小の円形開口部を設けた形態の正面図
（ｂ）同負圧軽減開口部に円形と矩形の開口部を交互に設けた形態の正面図
（ｃ）同負圧軽減開口部の外周側にスリット型の開口部を設けた形態の正面図
【図５】  本発明の実施例２における浴槽水循環接続装置のＪＩＳ規格による髪の毛引張力試験概略試験方法を示した図
【図６】  本発明の実施例３における浴槽水通路分離形成具に大負圧軽減開口部を中心部近くに設けた形態の正面図
【図７】  本発明の実施例４における浴槽水通路分離形成具に装着する浴槽フィルターの平面図
【図８】  従来の浴槽水循環接続装置の一般的な施工の構成図
【図９】  同装置の分解斜視図
【図１０】  （ａ）同装置を構成する浴槽水通路分離形成具の正面図
（ｂ）同形成具の側面に設けられた楕円状開口部の部分正面図
【図１１】  同形成具に装着する浴槽フィルターの平面図
【符号の説明】
３２、４１、４８、５５、６４、７３、９１  浴槽水通路分離形成具
３３、４４、５１、５８、６７、７６、８２  吸込開口部
３４  第１水通路
３５、４５、５２、５９、６８、７７、８３  吐出開口部
３７、４６、４７、５３、５４、６０、６１、６２、６３、６９、７０、７１、７２、７８、７９、８０、８１、８４、８５、９６、９７、９８、９９  負圧軽減開口部
【図１】
0004774659.tif 000005
【図２】
0004774659.tif 000006
【図３】
0004774659.tif 000007
【図４】
0004774659.tif 000008
【図５】
0004774659.tif 000009
【図６】
0004774659.tif 000010
【図７】
0004774659.tif 000011
【図８】
0004774659.tif 000012
【図９】
0004774659.tif 000013
【図１０】
0004774659.tif 000014
【図１１】
0004774659.tif 000015